(57)【特許請求の範囲】
【請求項１】
長尺紙葉類を筒状に巻回された状態で収納し、この収納された長尺紙葉類をその巻回外側端から引き出すための長尺紙葉類収納装置であって、長尺紙葉類を巻回された状態で収納する円筒部と、前記円筒部の一端側に備えられ、前記巻回された長尺紙葉類の筒状端面に当接する当接部と、前記円筒部の長さ方向全体に亘ってスリット状に開口し、前記収納された長尺紙葉類をその巻回外側端から引き出すための開口部と、前記開口部の前記円筒部径方向外側に引出ガイドとを備え、前記円筒部は他端側が開放され、該円筒部の他端側には舌状の挿入ガイドを連接しており、前記巻回された長尺紙葉類は前記挿入ガイドに沿って円筒部内に収納され、ユーザーが前記長尺紙の巻回外側端のユーザー側コーナー付近をつかんで前記開口部から簡単に引き出せるよう前記開口部は前記円筒部の他端側の開放部分に貫通していることを特徴とする長尺紙葉類収納装置。
【請求項２】
前記開口部の前記円筒部径方向外側に隣接して長尺紙葉類搬送手段を備えたことを特徴とする請求項１記載の長尺紙葉類収納装置。
【請求項３】
原稿画像を読み取る読取手段を備え、長尺原稿を筒状に巻回された状態で収納しこの収納された長尺原稿をその巻回外側端から前記読取手段へ向けて引き出すことにより前記長尺原稿の画像を読み取る画像読取装置であって、長尺原稿を巻回された状態で収納する円筒部と、前記円筒部の一端側に備えられ、前記巻回された長尺原稿の筒状端面に当接する当接部と、前記円筒部の長さ方向全体に亘ってスリット状に開口し、前記収納された長尺原稿をその巻回外側端から引き出すための開口部と、前記開口部の前記円筒部径方向外側に引出ガイドとを備え、前記円筒部は他端側が開放され、該円筒部の他端側には舌状の挿入ガイドを連接しており、前記巻回された長尺原稿はこの挿入ガイドに沿って円筒部内に収納され、ユーザーが前記長尺原稿の巻回外側端のユーザー側コーナー付近をつかんで前記開口部から前記読取手段へ向けて簡単に引き出せるよう前記開口部は前記円筒部の他端側の開放部分に貫通していることを特徴とする画像読取装置。
【請求項４】
前記開口部の前記円筒部径方向外側に隣接して設けられ、前記長尺原稿を前記読取手段へ向けて搬送する長尺原稿搬送手段を備えたことを特徴とする請求項３記載の画像読取装置。
【発明の詳細な説明】
【０００１】
【発明の属する技術分野】
本発明は、Ａ４，Ａ３等の定形紙よりも長い長尺紙の供給が可能な長尺紙葉類収納装置、およびそれを適用した画像読取装置に関するものである。
【０００２】
【従来の技術】
従来より、工業用の複写機では、図面や横断幕のような長尺の原稿をコピーすることが可能であった。例えばＡ０版等の長尺原稿は一般的に円筒状に巻回されて保管されており、これを複写すべく作業者が原稿台上で長尺原稿を広げ、原稿の読み取りが終ると作業者がそれを巻き取っていた。しかし巻回された長尺原稿を取り扱ううちに原稿が皺になったり、原稿を搬送方向に平行に位置合わせするのが難しくて原稿の縁が破損したりしていた。この問題を解決するために、特開平８−３２０５９９では、両端開放の筒状で原稿取り出し用開口部が形成された長尺原稿容器を原稿台端部に装着し、この原稿容器開口部から原稿端を原稿台上に取り出して原稿給紙部に送り込む長尺原稿送り出し機構を提案した。
【０００３】
【発明が解決しようとする課題】
上記提案により原稿の皺や破損の問題は解決したものの、工業用の複写機は高価であり、最大Ａ３原稿が読み取れる汎用型の複写機や自動原稿供給装置を備えた画像読取装置で例えばＡ３幅の長尺原稿を読み取れるようにすれば、比較的需要の多いＡ３幅の垂れ幕や横断幕のような原稿を低価格の装置でコピーすることが可能となる。またこのような汎用型の低価格機では、装置本体の価格が安いこと、長尺原稿に不慣れなユーザーが操作することなどの理由から、長尺原稿容器はできるだけ低コストで且つ簡易な操作で取り扱えるものがよい。
【０００４】
そこで、本発明は、上記の問題に鑑みてなされたものであり、本発明の第１の目的は、長尺原稿等の長尺紙葉類を簡易にセットでき、簡易に供給できる、安価な長尺紙葉類収納装置の提供である。また第２の目的は、長尺原稿を簡易にセットでき、簡易に供給できる、安価な画像読取装置の提供である。
【０００５】
【課題を解決するための手段】
上記目的を達成するため、請求項１の発明は、長尺紙葉類を筒状に巻回された状態で収納し、この収納された長尺紙葉類をその巻回外側端から引き出すための長尺紙葉類収納装置であって、長尺紙葉類を巻回された状態で収納する円筒部と、前記円筒部の一端側に備えられ、前記巻回された長尺紙葉類の筒状端面に当接する当接部と、前記円筒部の長さ方向全体に亘ってスリット状に開口し、前記収納された長尺紙葉類をその巻回外側端から引き出すための開口部と、前記開口部の前記円筒部径方向外側に引出ガイドとを備え、前記円筒部は他端側が開放され、該円筒部の他端側には舌状の挿入ガイドを連接しており、前記巻回された長尺紙葉類は前記挿入ガイドに沿って円筒部内に収納され、ユーザーが前記長尺紙の巻回外側端のユーザー側コーナー付近をつかんで前記開口部から簡単に引き出せるよう前記開口部は前記円筒部の他端側の開放部分に貫通していることを特徴としている。
【０００６】
この構成によれば、ユーザーは巻回された長尺紙葉類を長尺紙葉類収納装置の円筒部に連接された舌状の挿入ガイド上に置き、巻回された長尺紙葉類の一端を開放された円筒部の他端側に挿入して円筒部の一端側の当接部まで押し込むだけで、長尺紙葉類は所定位置に収納される。そして収納された長尺紙葉類をその巻回外側端を円筒部の長さ方向全体に亘ってスリット状に開口した開口部から手で簡単に引き出すことができる。この引き出された長尺紙葉類の先端を給紙位置にセットすれば、長尺紙葉類の給紙の準備が完了する。
また、この長尺紙葉類収納装置は、当設部、開口部、引出ガイド、および挿入ガイドを備えた円筒部によって構成されるため、樹脂等による一体成形が可能であり、安価に製造することができる。
【０００７】
また請求項２の発明は、請求項１記載の長尺紙葉類収納装置において、前記開口部の前記円筒部径方向外側に隣接して長尺紙葉類搬送手段を備えたことを特徴としている。
この構成によれば、開口部の円筒部径方向外側に隣接して長尺紙葉類搬送手段を備えているので、開口部から引き出された長尺紙葉類の先端をこの搬送手段にセットするだけで、給紙位置まで自動的に長尺紙葉類の先端を搬送し給紙位置にセットすることが可能となる。
【０００８】
また請求項３の発明は、原稿画像を読み取る読取手段を備え、長尺原稿を筒状に巻回された状態で収納しこの収納された長尺原稿をその巻回外側端から前記読取手段へ向けて引き出すことにより前記長尺原稿の画像を読み取る画像読取装置であって、長尺原稿を巻回された状態で収納する円筒部と、前記円筒部の一端側に備えられ、前記巻回された長尺原稿の筒状端面に当接する当接部と、前記円筒部の長さ方向全体に亘ってスリット状に開口し、前記収納された長尺原稿をその巻回外側端から引き出すための開口部と、前記開口部の前記円筒部径方向外側に引出ガイドとを備え、前記円筒部は他端側が開放され、該円筒部の他端側には舌状の挿入ガイドを連接しており、前記巻回された長尺原稿はこの挿入ガイドに沿って円筒部内に収納され、ユーザーが前記長尺原稿の巻回外側端のユーザー側コーナー付近をつかんで前記開口部から前記読取手段へ向けて簡単に引き出せるよう前記開口部は前記円筒部の他端側の開放部分に貫通していることを特徴としている。
【０００９】
この構成によれば、ユーザーは巻回された長尺原稿を円筒部に連接された舌状の挿入ガイド上に置き、巻回された長尺原稿の一端を開放された円筒部の他端側に挿入して円筒部の一端側の当接部まで押し込むだけで、長尺原稿は所定位置に収納される。そして収納された長尺原稿をその巻回外側端を円筒部の長さ方向全体に亘ってスリット状に開口した開口部から手で簡単に引き出すことができる。この引き出された長尺原稿の先端を読取手段の給紙位置にセットすれば、長尺原稿の読取の準備が完了する。
また、この画像読取装置の長尺原稿を取り扱う主要部は、当設部、開口部、引出ガイド、および挿入ガイドを備えた円筒部によって構成されるため、樹脂等による一体成形が可能であり、安価に製造することができる。
【００１０】
また請求項４の発明は、請求項３記載の画像読取装置において、前記開口部の前記円筒部径方向外側に隣接して設けられ、前記長尺原稿を前記読取手段へ向けて搬送する長尺原稿搬送手段を備えたことを特徴としている。
この構成によれば、開口部の円筒部径方向外側に隣接して長尺原稿搬送手段を備えているので、開口部から引き出された長尺原稿の先端をこの搬送手段ににセットするだけで、読取手段まで自動的に長尺原稿の先端を搬送し読取手段の給紙位置にセットすることが可能となる。
【００１１】
【発明の実施の形態】
以下，添付図面を参照して，本発明の実施の形態につき説明し，本発明の理解に供する。なお，以下の実施の形態は，本発明の具体的な例であって，本発明の技術的範囲を限定する性格のものではない。
【００１２】
図１は、本発明で使用する画像形成装置の一例であるデジタル複写機を示す概略断面図である。デジタル複写機１は、中央付近に画像形成部２、その下部に給紙部３を備え、画像形成部２の上部には原稿読取部６が配置されている。画像形成部１には、感光体ドラム１１がその中央部に配置され図中時計回りに回転され、図面右側から供給される用紙に転写するトナー像が感光体ドラム１１上に形成される。
【００１３】
感光体ドラム１１はその上部の帯電部１２で表面が一様に帯電され、レーザ光学部１３から画像信号により明滅されるレーザ光でスキャンされて表面に静電潜像が形成され、現像部１４によりトナーで現像される。さらに転写部１５において感光体ドラム１１に形成されたトナー像が、レジストローラ１６により所定のタイミングで送り込まれた用紙上面に転写される。トナー画像が転写された用紙は、図中左側の定着ローラ１７へ搬送され、用紙表面にトナーが熱定着されて、排紙ローラ１８により排紙トレイ１９に排出される。
【００１４】
給紙部３は、通常使用される定型にカットされた用紙を画像形成部２へ供給するものである。用紙トレイ３１にはＡ３、Ａ４などの定型の用紙が積載されており、給紙ローラ３２により最上部用紙が１枚ずつ捌かれて給紙される。給紙ローラ３２により給紙された用紙は、縦搬送路３３を搬送ローラ３４、３５により上へ搬送され、さらに横搬送路３６を搬送ローラ３７によりレジストローラ１６へ運ばれる。用紙はレジストローラ１６により転写部１５てトナーの転写を受けて定着ローラ１７で熱定着される。
【００１５】
この用紙の両面に画像形成する場合には、転写部１５の後にある分岐爪４１が変位（図中点線）して定着後の用紙は下方に進路変更され、ローラ４２によりスイッチバック路４３へ送られる。用紙後端がローラ４２を通過する前にローラ４２が用紙後端を咥えたまま逆転し、分岐爪４４の移動（図中点線）により、用紙先端は画像形成部２と給紙部３の間に位置する還送路４５を、ローラ４６によりデジタル複写機１右側部の縦搬送路３３へ送られる。さらに横搬送路３６へ送られた用紙はこんどは裏面が上向きとなっている。レジストローラ１６により転写部１５に送られた用紙は、裏面にトナーの転写を受け、定着ローラ１７により定着され、排紙ローラ１８により排紙トレイ１９に排出される。
【００１６】
またデジタル複写機１右側部には、手差し給紙部５が設けられ、給紙台５１上に積載されたカット用紙束上面に当接されて用紙束上部を給紙方向に寄せるゴム製の寄せローラ５５と寄せられた複数用紙を１枚ずつ給送するゴム製の分離給紙ローラ対５２により、１枚ずつ横搬送路３６に送りこむようになっている。手差し給紙が行なわれると、給紙部３の用紙と同様に、用紙は搬送ローラ３７、レジストローラ１６により横搬送路３６を搬送され、所定のタイミングで転写部１５でトナーの転写を受け定着ローラ１７にて定着された後、排紙ローラ１８により排紙トレイ１９に排出されるか、分岐爪４１の回転により進路を変更して用紙裏面に画像が形成されるようになっている。用紙裏面に画像が形成される場合は、以後は給紙部３から給紙された用紙と同様であるため、説明を省く。
【００１７】
また本発明に使用するデジタル複写機１では、手差し給紙部５の給紙台５１の外側端に長尺紙ホルダー９１が取り付けられるようになっている。長尺紙ホルダー９１は、図２（ａ）に示すように、Ｊ字を左方向に倒したような形状のガイド部材であり、給紙台５１外側端に延長されて取り付けられる。この長尺紙ホルダー９１は、定型用紙の最大長より長尺紙が、その後端が給紙台５１の外側端から垂れ下がって落下しないように、ホルダー９１内部に長尺紙後端側を湾曲あるいは巻き込んで収納するようになっており、長尺紙先端がローラ対５２によってデジタル複写機１内に侵入するにつれて、用紙後端側が徐徐に引き出されるようになっている。またこの長尺紙ホルダー９１には、カーソル９３が設けられ、長尺紙が真直ぐ給紙されるようになっている。
【００１８】
また、デジタル複写機１の横搬送路３６や還送路４５には、用紙の先端または後端が通過する際ONまたはOＦＦするスイッチＳＷ１（図１における搬送ローラ３７の上流）、ＳＷ２（図１における定着ローラ１７の下流）、ＳＷ３（図１におけるローラ４６の上流）が設置されており、用紙先端の通過によりＯＮされた後、所定時間内にＯＦＦされない場合、その部分で用紙の重送あるいはジャムが発生していると判断して駆動を停止し、表示部にジャム表示を行うようになっている。長尺紙のように搬送方向に長い用紙が搬送される場合は、後に述べるように、操作者が予め長尺紙モードの設定をすることにより、通常モードのジャム検知が一旦解除されるようになっている。さらに横搬送路３６のレジストローラ１６部分に設けられたＳＷ４がレジストローラ１６の回転スタート（用紙先端がＳＷ４に位置する）から用紙後端がＳＷ４を通過するまでの時間を検知して実際の用紙長を算定し、以後に通過するスイッチの通過時間を補正するため、この時点から実際の長尺紙の長さによるジャム検知が設定され、以後の通紙状態が管理されるようになっている。
【００１９】
また、排紙トレイ１９の外側端には、図２（ｂ）に示すように、長尺紙ホルダー９２が取り付けられるようになっている。これにより定型用紙の最大長より長い長尺紙が、その前端が排紙トレイ１９の外側端から垂れ下がって落下しないように、逆Ｊ字形状のガイド部材で構成されており、排紙ローラ１８から繰り出される長尺紙先端側を受け入れるようになっている。
【００２０】
次に原稿読取部を、図１および図３を用いて説明する。原稿読取部６は、画像データに変換するスキャナー部７と、原稿をスキャナー部７に供給する原稿搬送装置８により構成されており、光学系を移動させて静置原稿画像を読み取る方法と、本発明の主要部である原稿搬送装置を用いて原稿を移動させながら画像を読取る方法（シートスルー方式）とを実施できる。光学系を移動させて静置原稿画像を読み取るスキャナー部７は、上面に読取窓７１が配置され、照明ランプ、複数のミラー、およびレンズより構成される光学系７２により、読取窓７１に置かれた原稿がスキャンされ、その光学像がＣＣＤ等のイメージセンサ７３に送られて画像データとして読取られる。照明ランプと複数のミラーは、読取窓７１に置かれた原稿をスキャンするために相対的に移動する。
【００２１】
原稿を移動させながら画像を読取るシートスルー方式では、スキャナー部７は光学系７２が読取窓７１の図３左側位置に固定され移動しない。原稿搬送部８は、スキャナー部７の読取窓７１上部に、読取窓７１を覆う閉位置と読取窓７１を開放する開位置との間で移動自在に取り付けられている。原稿搬送装置８は、中央上部に原稿供給部８１と中央下部に原稿排出部８２を備え、原稿供給部８１から供給された原稿を、略Ｕ字型の原稿搬送路８３を経由して光学系７２が固定された読取窓７１左側位置へ搬送し、原稿排出部８２に排出するようになっている。さらに、原稿供給部８１の上流端（図１右側）には長尺原稿収納部８４が、原稿排出部８２の下流端（図１右側）には長尺原稿収納部８５が取付けられている。
【００２２】
図３を用いて、定型原稿を読み取る定型原稿モード時について詳細説明する。原稿供給部８１は、読み取るべき定型原稿を載置する原稿載置台８１１、定型原稿を１枚ずつ分離しながら給紙するための、給紙中は回転がストップする分離ローラ８１２、給紙方向に回転して最上紙を搬送路８３に送り出す給紙ローラ８１３、原稿を分離ローラ８１２側に寄せる寄せローラ８１４にて構成される。搬送路８３には、ローラ対８３１、８３２、８３３があり、読取窓７１に向けて原稿を搬送する。原稿は、読取窓７１と当接するプラテン８３４で、通過しながら読取られる。スキャナー部７の照明ランプとミラーはプラテン部８３４と対峙する位置に停止しており、原稿が読取速度と同じ速度で移動することにより読取られるようになっている。読取られた原稿は、ローラ対８３５を経て排出ローラ対８２１により、原稿載置台８１１の下部に設けられた原稿排出部８２の排出トレイ８２２へ排出される。
【００２３】
原稿の両面を読み取る場合には、搬送路８３のローラ対８３１、８３２の間にある分岐爪８６１が点線の位置に回動し、原稿先端は、ローラ対８３１を通過した後、搬送路８３の上部に設けられた反転路８６に侵入する。ローラ対８６２は原稿を上部へ送り、原稿後端が分岐爪８６１を通過すると反転して原稿後端をスイッチバックによりローラ対８３２へ送る。ローラ対８３２に原稿後端が挟み込まれるとローラ対８６２が点線のように離間して、原稿はローラ対８３２の搬送力で搬送路８３を搬送される。反転路８６で裏返された原稿は、最初にその裏面が読取窓７１で読み取られる。さらに排出ローラ対８２１の手前に設けられた分岐爪８７１が点線の位置に回動し、ローラ対８３５を通過した原稿先端は、搬送路８３の排出側と給紙側を繋ぐ還送路８７に侵入する。
【００２４】
還送路８７により給紙側へ還送された原稿先端は、ローラ対８３１と点線の位置に回動している分岐爪８６１により再度反転路８６に侵入し、離間しているローラ対８６２の間を抜けて反転路８６を上昇する。原稿後端が分岐爪８６１を通過すると、ローラ対８６２が圧接して、再度原稿をスイッチバックして搬送路８３の読取窓７１へ搬送する。この状態では読取窓７１で原稿の表面が読み取られる。原稿先端が排出ローラ対８２１に向かうときには分岐爪８６１は実線の位置に回動しており、原稿は排出ローラ対８２１により排出トレイ８２２へ排出される。
【００２５】
次に、長尺原稿を読み取る長尺原稿モード時の長尺原稿を給紙するしくみについて説明する。長尺原稿収納部８４に長さ方向に巻いた長尺原稿を、紙面を横切る方向に挿入し、原稿先端を操作者が原稿供給部８１まで引き出すことにより給紙させることができる。また、長尺原稿収納部８４が原稿載置台８１１に取付けられる位置に繰出ローラ対８４１を設けて、自動的に原稿供給部８１まで原稿先端を繰り出すようにしてもよい。図３の実施例は繰出ローラ対８４１を設けた例である。さらに繰出ローラ対８４１の上流に原稿先端を検知するセンサ８１９を設けて繰出ローラ対８４１を始動するようにし、原稿供給部８１の原稿検知センサ８１５で原稿先端を検知したら繰り出しをストップするようにしてもよい。
【００２６】
長尺原稿収納部８４は、図３、４で示すように、原稿を巻いた状態で挿入する筒部８４２、原稿先端を原稿供給部８１の原稿載置台８１１に引き出すためのガイドとなる引出ガイド部８４３、原稿載置台８１１に取付けた長尺原稿収納部８４を軸回りに回動させ、原稿搬送装置８の背面側に退避させるための回転軸８４４、長尺原稿収納部８４が装着位置にあるか退避位置にあるか検知するための検知装置８４５により構成されている。筒部８４２にはさらに、巻いた原稿を挿入するためのガイドとなる、筒部８４２の内面が長さ方向手前側に舌状に突き出した形の挿入ガイド８４６（この挿入ガイド８４６の方向には、筒部８４２の端部は開放されている）、原稿を筒部８４２の奥へ挿入したとき奥側の停止位置となるストッパ８４７、筒部８４２から原稿先端を原稿供給部８１へ引き出すために筒部８４２の長さ方向全体に亘って設けられたスリット８４８が備えられ、前記引出ガイド部８４３がこのスリット８４８に連接している。なお、筒部８４２、引出ガイド部８４３、挿入ガイド８４６、ストッパ８４７は、樹脂による一体成形で作られており、スリット８４８もこのとき同時に形成される。
【００２７】
このように長尺原稿収納部８４は、筒部８４２に挿入ガイド８４６が巻いた原稿を挿入する上流側に設けてあるので、長尺原稿を一旦挿入ガイド８４６に置いて筒部８４２に楽に挿入でき、例えば不慣れなユーザーが巻いた長尺原稿端部を筒部８４２にぶつけて、原稿を曲げたり、破損させたりすることが防止される。またストッパ８４７が設けてあるので、巻いた長尺原稿端部をストッパ８４７に当設するまで挿入するだけで原稿側端を所定位置に合わせた状態で収納することができる。また、筒部８４２の長さ方向全体に亘ってスリット８４８が設けてある（すなわち筒部８４２の端部にスリット８４８の開口が貫通した状態）ので、筒部８４２に収納された長尺原稿の外側先端あるいは外側先端のユーザー側コーナー付近をつかんでスリット８４８から原稿供給部８１の方向へ長尺原稿先端を簡単に引き出すことができる。
【００２８】
図４（ｂ）に、長尺原稿収納部８４を退避位置に回動させる様子を示している。この図のように、筒部８４２、引出ガイド部８４３、検知装置８４５、挿入ガイド８４６、ストッパ８４７、スリット８４８、及び繰出ローラ対８４１の従動ローラ８４９で構成される長尺原稿収納部８４を、回転軸８４４を回転中心として矢印Ｘの方向におよそ９０°回動させて、原稿搬送装置８の背面側（図の上側）に退避させるようにしている。
【００２９】
また回転軸８４４は、長尺原稿収納部８４を原稿載置台８１１に取付ける取付ピンにもなっており、原稿載置台８１１の取付穴８１６に長尺原稿収納部８４が回動自在となるように差込まれている。この回転軸８４４は、原稿載置台８１１側に設けてもよい。また検知装置８４５は、長尺原稿収納部８４を回転軸８４４回りに回動させて原稿載置台８１１の当り部材８１７に当ったことを検出するスイッチのようなものであり、長尺原稿収納部８４が装着位置にある間ＯＮ状態を維持するようになっている。これにより、長尺原稿の読取が実行可能となり、長尺原稿収納部８４が退避位置にある場合はＯＦＦ状態となるため長尺原稿の読取が実行不能となり、定型原稿の読取が実行可能となる。この検知装置８４５は、原稿載置台８１１側に設けることも可能であり、この場合当り部材８１７は長尺原稿収納部８４側に設けられる。
【００３０】
また本実施例では、原稿載置台８１１と引出ガイド部８４３の接合部に繰出ローラ対８４１を設けている。このうち下側のローラは、原稿載置台８１１に軸支され、駆動ローラ８１８として原稿供給部からの駆動力で回転し、上側のローラは引出ガイド部８４３に軸支され、従動ローラ８４９として駆動ローラ８１８により従動する。長尺原稿収納部８４を退避させる際は、駆動ローラ８１８が原稿載置台８１１側に残り、従動ローラ８４９は長尺原稿収納部８４と共に退避される。この繰出ローラ対８４１は、両ローラ共原稿載置台８１１側に設けられてもよく、また、長尺原稿収納部８４に両ローラと共に小型のモータを設けて、原稿供給部と別駆動としてもかまわない。
【００３１】
次に長尺原稿のセット方法について図５を用いて説明する。長尺原稿を長尺原稿収納部８４へセットする前に巻く方法として、画像側が内側になるように巻く場合（Ａ）と、画像側が外側になるように巻く場合（Ｂ）とがある。また、長尺原稿収納部８４へのセット方法には、巻きカールに沿った順方向に繰り出すようにセットする場合（図５（ａ））と、画像側を外側になるように巻いて巻きカールに逆らう逆方向に繰り出すようにセットする場合（図５（ｂ））がある。本発明の装置では上記のいずれの場合も可能であり、長尺原稿収納部８４から画像を上側にして引き出す場合、（Ａ）の巻き方では図５（ａ）のセット方法、（Ｂ）の巻き方では図５（ｂ）のセット方法を採用すれば、長尺原稿を繰り出したとき画像面が上になって、原稿供給部８１から搬送路８３を経由して画像面を読取窓７１の方向に向けることができる。このうち図５（ｂ）のセット方法では、筒部のスリットのエッジ部で原稿を巻きとは逆方向にしごいて巻き癖を矯正しながら繰り出せるメリットがある。
【００３２】
上記の図３に示す長尺原稿収納部８４は、引出ガイド部８４３の上側に筒部８４２を設けているが、他の実施形態として、引出ガイド部の下側に筒部を設けるようにしてもよい。図５の（ｃ）（ｄ）では、筒部８４２の上側で、さらに原稿載置台８１１の上部に繰出ガイド部８４３を備え、原稿載置台８１１と引出ガイド部８４３の間の隙間から長尺原稿を引き出すようにしている。この場合、原稿の（Ａ）の巻き方には逆方向に引き出す図５（ｄ）のセット方法、原稿の（Ｂ）の巻き方には順方向に引き出す図５（ｃ）のセット方法とすれば、いずれの場合も原稿の画像を上にして引き出すことができる。
【００３３】
本実施例の原稿搬送装置８は、排出トレイ８２２の下流に長尺原稿を巻き取るための長尺原稿収納部８５をさらに備えている。長尺原稿収納部８５は、長尺原稿収納部８４と近似した形をしており、ガイド８４５を備えた繰込ローラ対８５１、その下流に連接する繰込ガイド部８５３、繰込ガイド部８５３の下流上部にさらに連接する筒部８５２を備えている。長尺原稿は繰込ローラ対８５１により、さらにガイド８５５を備えたスリット８５８から筒部８５２の内部へ巻き込まれるようになっている。さらに長尺原稿収納部８５は、長尺原稿収納部８４と同様な機構で原稿搬送装置８の後ろ側へ回動させて退避させることが可能である。さらに長尺原稿収納部８４と同様な検知装置を備えることで、長尺原稿収納部８５のセット状態を長尺原稿モード時に検知できるようにしてもよい。
【００３４】
さらに、原稿搬送装置８の搬送路８３においては、給紙ローラ８１３とローラ対８３１の間、およびローラ対８３２と８３３の間には、用紙の通過状態を検知するスイッチＳＷ５およびＳＷ６が備えられている。特にスイッチＳＷ５は、原稿の先端及び後端の通過時間時間ｔ１、ｔ２を検知している。その時間の差ｔ＝ｔ２−ｔ１が、原稿供給部８１から給紙された所定の定型原稿が所定の速度で通過した場合の設定された時間と比較され、設定された時間よりｔが長ければ、原稿の重送が発生していると判断して、装置を止めてしまうようになっている。長尺原稿のように定型原稿より長い場合には、正常な通過状態においてもこのようなジャム検知が働いてしまい、装置がストップしてしまうため、定型原稿モードにおけるジャム検知を解除してそれを回避するようになっている。
【００３５】
次に、デジタル複写機１の制御回路構成を説明する。図６は、制御回路構成の概略を示すブロック図である。制御部１００は、原稿読取部６のイメージセンサ７３から読み込まれた画像データをビットマップ等の形態で一時保存する画像メモリー１０１、画像メモリー１０１に保存された画像データに種々の処理を施す画像処理部１０２、処理前或いは処理後の画像データをファイル形式で保存するハードディスク（ＨＤＤ）１０３を含む。また、画像読取部６のスキャナー部７や原稿搬送装置８の動作を制御する画像入力制御部１０４、及び画像形成部２や各給紙部３、５の動作を制御する画像出力制御部１０５をも含んでいる。
【００３６】
画像読取部６の原稿搬送装置８には、長尺原稿収納部８４の装着を検知する検知装置８４５（検知手段）があり、画像入力制御部１０４ではこの検知結果に基いて、定型原稿モードから長尺原稿モードへ、或いは長尺原稿モードから定型原稿モードへの切り換えや、各モードでの画像入力（読取）動作の制御が行われる（モード切換手段、制御手段）。
前記画像メモリー１０１は、外部のコンピュータ（ＰＣ）１１１からの画像データを、プリンタコントローラ１１２を介して読み込むことができる。また、原稿読取部６からの画像データ、プリンタコントローラ１１２からの画像データ、ＨＤＤ１０３からの画像データを、この画像メモリー１０１からレーザ光学部に送り、レーザの点滅走査信号に変換されて画像形成部２に出力される。
【００３７】
また制御部１００は、図７に示す操作部１２０により操作される。図７においてキー入力部１２１はテンキーによる数値入力部であり、液晶表示部１２２は各種モードの条件等を表示し選択可能になっているタッチパネルであり、モード切替部１２３はモードをキー選択できる各種モードキーが並ぶ領域である。このモード切替部１２３には、長尺紙モードキー１２４が存在する。この長尺紙モードキー１２４を押すことにより、カット紙を給紙する通常モード状態から、手差し給紙部５の長尺紙ホルダー９１から長尺紙を給紙して出力する長尺紙モード状態に切り替わり、これにより一旦通常モードにおけるジャム検知が解除されるようになっている。その他、画像読取部６での画像読込みや、画像の用紙への出力を開始実行させるスタートキー１２５が、キー入力部１２１に存在する。
【００３８】
次に、デジタル複写機１を用いて実際に長尺原稿を読み取って長尺紙にコピーする方法を説明する。図８は操作制御を示すフローチャートである。まず操作者は、長尺紙モードために図７の操作部１２０のモード切替部１２３にある長尺紙モードキー１２４を押す（ステップ符号Ｓ１のＹ）。するとこの時点で、デジタル複写機１は手差し給紙モードのジャム検知解除モード状態に自動設定される。操作部１２０の液晶表示部１２２には「用紙をセットしてください」のメッセージが表示されるので、操作者は手差し給紙部５に長尺紙をセットする。
【００３９】
次に、画像読取部６の原稿搬送装置８において、操作者は、長尺原稿収納部８４を退避位置から回動して装着位置にセットする。これにより検知装置８４５が当り部材８１７に当ることによりＯＮされ、長尺原稿収納部８４の装着が検知される（Ｓ２のＹ）。長尺原稿収納部８４の装着が検知されると、モード切換手段により長尺原稿モードに切り替わり、定型原稿モードにおけるジャム検知は解除され、長尺原稿モード用ジャム検知に切り替わる。長尺原稿収納部８４が装着位置にセットされていなければ、液晶表示部１２２に「原稿ホルダーをセットしてください」のメッセージが表示され（Ｓ２のＮ）、装着位置にセットすることにより次に進む。なお、ここで長尺原稿収納部８４が装着位置にセットされるまでは、長尺原稿モードへの切り換えは行われず、定型原稿モードにおけるジャム検知は解除されない。
【００４０】
この時点で液晶表示部１２２に「原稿をセットしてください」のメッセージが表示され、操作者は、長尺原稿を巻いた状態で長尺原稿収納部８４の挿入ガイド８４６に沿わせて筒部８４２のストッパ８４７まで挿入する。さらにスリット８４８から長尺原稿の先端を取り出して引出ガイド部８４３上を繰出ローラ対８４１まで引き出すと、センサ８１９が原稿を検知して繰出ローラ対８４１が回転し（Ｓ３）、長尺原稿の先端を原稿給紙部８１の分離ローラ８１５に位置まで送り出す。原稿先端が分離ローラ８１５位置に到達するまでは分離ローラ８１５は回転を続け（Ｓ４がＮ）、原稿先端が分離ローラ８１５位置に到達して原稿検知センサ８１５により検知されると（Ｓ４がＹ）、繰出ローラ対８４１の回転がストップして（Ｓ５）、液晶表示部１２２に「コピーできます」のメッセージが表示され、レディ状態となる。
【００４１】
この後操作者が操作部１２０のスタートキー１２５をＯＮすると、寄せローラ８１４および給紙ローラ８１３が回転して原稿が給紙される（Ｓ６がＹ）。原稿は操作者によって表向きにセットされており、この場合ローラ対８３１、８３２、８３３の順に搬送路８３を搬送される。スイッチＳＷ５、６において、原稿先端の通過が検知される（Ｓ７）。スイッチＳＷ５の検知の所定時間後までにスイッチＳＷ６の検知が成されないと、ジャムと判断され、原稿搬送装置は停止して液晶表示部１２２にジャム表示する。スイッチＳＷ６の先端通過が検知されると、その通過時刻から原稿先端が読取窓７１に到達する時刻が計算される。この計算された時刻に基きスキャナー部７のイメージセンサ７３における画像読込みがスタートする（Ｓ８）。またスイッチＳＷ５、６において原稿後端の通過が検知され（Ｓ９）、上記と同様のジャム判断が成される。またスイッチＳＷ６の先端通過が検知されると、その時刻に基いてイメージセンサ７３における画像読込みがストップする（Ｓ１０）。スイッチＳＷ５の原稿検知信号は、その他、長尺原稿の両面を読み取る場合の、反転路８６のローラ対８６２の離間タイミング等の制御に使用される。
【００４２】
原稿が読取窓７１を通過し、光学像が光学系７２によりイメージセンサ７３に送られ、イメージセンサ７３で画像データ読み込まれると（Ｓ８〜Ｓ１０）、制御部の画像メモリー１０１を経由して画像処理部１０２で画像圧縮等が成され、ＨＤＤ１０３に格納される（Ｓ１１）。定型原稿を読み込む通常モードでは、１ページ当りの画像の大きさの制限を設け、多数のページでも各ページの管理をしやすくしているが、長尺原稿モードにおいてはこの制限をなくして、かなり長い原稿でも１ページの画像として格納できるようにしている。
一方、読み取られた原稿は、ローラ対８３５、排出ローラ８２１により原稿排出部８２の排出トレイ８２２に排出される。さらに原稿先端が繰込ローラ８５１に到達すると繰込ローラ８５１によって繰込ガイド部８５３上を長尺原稿収納部８５の筒部８５２の内側に繰込まれ、巻き取られる。
【００４３】
ＨＤＤ１０３に格納された画像データは、制御部の画像メモリー１０１に読み出され（Ｓ１２）、画像形成部２のレーザ光学部１３に転送される。また、手差給紙部５から長尺紙が給紙され（Ｓ１３）、先端がレジストローラ１６まで搬送されて、スイッチＳＷ４で検知されるとストップする（Ｓ１４でＹ）。感光体ドラム１１が帯電され、レーザ光学部１３により潜像形成され、現像されると、所定のタイミングでレジストローラ１６が回転を開始して長尺紙を２次給紙し、転写部１５で長尺紙上に長尺原稿画像を転写する。転写された画像は定着ローラ１７で熱定着された後、排紙トレイ１９に排紙される（Ｓ１５）。
【００４４】
以上のように本発明の長尺紙葉類収納装置は、本実施例においてはデジタル複写機の原稿読取部で実施されているが、そればかりではなく、長尺の転写紙を給紙する装置にも適用することができる。例えば本実施例の手差し給紙部５には、給紙台５１に巻いた長尺紙をセットするためのホルダー９１（図２（ａ））が装着されているが、このホルダー９１のかわりに用いることもできる。例えば図４のごとき筒部８４２、引出ガイド部８４３、挿入ガイド８４６、ストッパ８４７、スリット８４８を含む長尺紙収納部を手差し給紙部５には、給紙台５１に装着した場合、ユーザーは長尺紙を一旦挿入ガイド８４６に置いて筒部８４２に楽に挿入でき、長尺紙を筒部８４２にぶつけて、曲げたり、破損させたりすることが防止される。また、巻いた長尺紙端部をストッパ８４７に当設するまで挿入するだけで用紙側端を所定位置に合わせた状態で収納することができる。また、、筒部８４２に収納された長尺紙の外側先端あるいは外側先端のユーザー側コーナー付近をつかんでスリット８４８から給紙台５１の方向へ長尺紙先端を簡単に引き出すことができる。
【００４５】
またさらに、長尺原稿収納部８５のごとき繰出ローラ対を長尺紙収納部に隣接して設けることにより、スリット８４８から引き出した長尺紙葉類の先端をこの繰出ローラ対にセットするだけで、給紙台５１上の手差し給紙位置まで自動的に長尺紙の先端を搬送することができる。また、長尺原稿収納部８５のごとき回転軸を設けて長尺紙収納部を退避可能にすることで、給紙台５１上に定型用紙を取り扱うための十分な空間スペースを確保できる。
【００４６】
また本発明の画像読取装置は、本実施例のようなデジタル複写機の画像読取部以外に、原稿搬送装置を備えたプリンタや印刷機のスキャナ装置、あるいはコンピュータに接続されるようなスキャナ装置に適応される場合も含むものである。
【００４７】
【発明の効果】
以上説明したように、請求項１の本発明によれば、長尺紙葉類収納装置において、ユーザーは巻回された収納装置の円筒部に連接された舌状の挿入ガイド上に置き、巻回された長尺紙葉類の一端を開放された円筒部の他端側に挿入して円筒部の一端側の当接部まで押し込むだけで、紙葉類を曲げたり破損したりすることなく、簡単に長尺紙葉類を所定位置に収納することができる。そして収納された長尺紙葉類をその巻回外側端を円筒部の長さ方向全体に亘ってスリット状に開口した開口部から手で簡単に引き出すことができる。この引き出された長尺紙葉類の先端を給紙位置にセットすれば、長尺紙葉類の給紙の準備が完了する。
また、この長尺紙葉類収納装置は、当設部、開口部、引出ガイド、および挿入ガイドを備えた円筒部によって構成されるため、樹脂等による一体成形が可能であり、安価に製造することができる。
【００４８】
また請求項２の本発明によれば、請求項１記載の長尺紙葉類収納装置において、開口部の円筒部径方向外側に隣接して長尺紙葉類搬送手段を備えているので、開口部から引き出された長尺紙葉類の先端をこの搬送手段にセットするだけで、給紙位置まで自動的に長尺紙葉類の先端を搬送し給紙位置にセットすることが可能となる。
【００４９】
また請求項３の本発明によれば、画像読取装置において、ユーザーは巻回された長尺原稿を円筒部に連接された舌状の挿入ガイド上に置き、巻回された長尺原稿の一端を開放された円筒部の他端側に挿入して円筒部の一端側の当接部まで押し込むだけで、原稿を曲げたり破損したりすることなく、簡単に長尺原稿を所定位置に収納することができる。そして収納された長尺原稿をその巻回外側端を円筒部の長さ方向全体に亘ってスリット状に開口した開口部から手で簡単に引き出すことができる。この引き出された長尺原稿の先端を読取手段の給紙位置にセットすれば、長尺原稿の読取の準備が完了する。
また、この画像読取装置の長尺原稿を取り扱う主要部は、当設部、開口部、引出ガイド、および挿入ガイドを備えた円筒部によって構成されるため、樹脂等による一体成形が可能であり、安価に製造することができる。
【００５０】
また請求項４の本発明によれば、請求項３記載の画像読取装置において、開口部の円筒部径方向外側に隣接して長尺原稿搬送手段を備えているので、開口部から引き出された長尺原稿の先端をこの搬送手段ににセットするだけで、読取手段まで自動的に長尺原稿の先端を搬送し読取手段の給紙位置にセットすることが可能となる。
【図面の簡単な説明】
【図１】  本発明の実施の形態に係るデジタル複写機の概略断面図である。
【図２】  図１のデジタル複写機が備える長尺紙ホルダーの斜視図である。
【図３】  図１のデジタル複写機が備える本発明の１実施形態である原稿搬送装置の詳細断面図である。
【図４】  （ａ）図１のデジタル複写機が備える本発明の１実施形態である原稿搬送装置の主要部斜視図である。（ｂ）原稿搬送装置主要部の長尺原稿収納部が退避する状態を説明する平面図である。
【図５】  本発明主要部である長尺原稿収納部への長尺原稿セット方法を説明するための図である。
【図６】  図１のデジタル複写機の制御ブロック図である。
【図７】  図１のデジタル複写機の操作部の概略図である。
【図８】  本発明の実施の形態を説明するためのフローチャートである。
【符号の説明】
１…デジタル複写機（画像形成装置）
６…原稿読取部（読取手段、画像読取装置）
８４…長尺原稿収納部（長尺紙葉類収納手段、長尺原稿収納手段）
８４１…繰出ローラ対（長尺紙葉類収納手段、長尺原稿搬送手段）
８４２…筒部（円筒部）
８４３…引出ガイド部（引出ガイド）
８４６…挿入ガイド
８４７…ストッパ（当接部）
８４８…スリット（開口部）
【図１】
0003643329.tif 000002
【図２】
0003643329.tif 000003
【図３】
0003643329.tif 000004
【図４】
0003643329.tif 000005
【図５】
0003643329.tif 000006
【図６】
0003643329.tif 000007
【図７】
0003643329.tif 000008
【図８】
0003643329.tif 000009